(57)【要約】【課題】吸収性物品が股下域においてコンパクトにフィットし易い印象を使用者が持つことができる吸収性物品を提供する。【解決手段】吸収性物品（１）は、股下域及び股下域よりも前後方向の外側に位置する胴回り域と、少なくとも股下域において前後方向に延びる複数の装飾部(50)と、を有する。装飾部は、中央装飾部(51)と、中央装飾部よりも幅方向の外側に位置する一対のサイド装飾部(52)と、を有する。中央装飾部は、サイド装飾部の幅方向の長さよりも幅方向の長さが長い幅広部(51X)と、サイド装飾部のサイド装飾部の色濃度よりも色濃度が濃い高濃部と、のうち少なくとも一方を有する。【選択図】図２
2020137971.tif 000002
【特許請求の範囲】
【請求項１】
互いに直交する前後方向及び幅方向と、
股下域及び前記股下域よりも前記前後方向の外側に位置する胴回り域と、
少なくとも前記股下域において前記前後方向に延びる複数の装飾部と、を有する吸収性物品であって、
前記装飾部は、中央装飾部と、前記中央装飾部よりも前記幅方向の外側に位置する一対のサイド装飾部と、を有し、
前記中央装飾部は、前記サイド装飾部の幅方向の長さよりも前記幅方向の長さが長い幅広部と、前記サイド装飾部の色濃度よりも色濃度が濃い高濃部と、のうち少なくとも一方を有する、吸収性物品。
【請求項２】
前記中央装飾部及び前記サイド装飾部は、前記前後方向に延びる直線状である、請求項１に記載の吸収性物品。
【請求項３】
前記サイド装飾部は、前記前後方向の中央が幅方向の内側に突出する湾曲形状である、請求項１に記載の吸収性物品。
【請求項４】
前記中央装飾部は、前記吸収性物品の前記幅方向の中心を跨いで配置されている、請求項１から請求項３のいずれか１項に記載の吸収性物品。
【請求項５】
前記一対のサイド装飾部は、前記中央装飾部に対して前記幅方向の一方側に配置された第１サイド装飾部と、前記中央装飾部に対して前記幅方向の他方側に配置された第２サイド装飾部と、を有し、
前記第１サイド装飾部及び前記第２サイド装飾部は、それぞれ前記幅方向に間隔を空けて複数設けられており、
前記第１サイド装飾部の数は、前記第２サイド装飾部の数と同じである、請求項１から請求項４のいずれか１項に記載の吸収性物品。
【請求項６】
前記一対のサイド装飾部は、それぞれ前記幅方向に間隔を空けて複数設けられており、
前記幅方向に間隔を空けて複数設けられたサイド装飾部は、内側サイド装飾部と、前記内側サイド装飾部よりも前記幅方向の外側に位置する外側サイド装飾部と、を構成し、
前記外側サイド装飾部の前記幅方向の長さは、前記内側サイド装飾部の前記幅方向の長さよりも短い、請求項１から請求項５のいずれか１項に記載の吸収性物品。
【請求項７】
前記装飾部は、前記股下域及び前記胴回り域に配置されている、請求項１から請求項６のいずれか１項に記載の吸収性物品。
【請求項８】
前記装飾部は、前記前後方向に間隔を空けて配置された装飾構成部の集合体によって構成されており、
前記装飾構成部の前記前後方向の間隔は、前記装飾構成部の前記前後方向の長さよりも短い、請求項１から請求項７のいずれか１項に記載の吸収性物品。
【請求項９】
前記装飾部と共に視認可能なキャラクター図柄を有し、
前記キャラクター図柄の少なくとも一部は、前記中央装飾部から前記前後方向に延びる中央延長線上に配置されている、請求項１から請求項８のいずれか１項に記載の吸収性物品。
【請求項１０】
前記一対のサイド装飾部は、それぞれ前記幅方向に間隔を空けて複数設けられており、
前記キャラクター図柄は、前記複数のサイド装飾部のそれぞれから前記前後方向に延びる複数のサイド延長線上のうち少なくとも一のサイド延長線と重ならない領域に配置されている、請求項９に記載の吸収性物品。
【発明の詳細な説明】
【技術分野】
【０００１】
本発明は、装飾部を有する吸収性物品に関する。
【背景技術】
【０００２】
特許文献１は、装飾部を有する吸収性物品を開示している。装飾部は、キャラクターを含むグラフィックによって構成されている。グラフィックは、吸収性本体と重なる領域の略全体に配置されている（特許文献１の図３参照）。
【先行技術文献】
【特許文献】
【０００３】
【特許文献１】特開２０１６−６４０１６号公報
【発明の概要】
【発明が解決しようとする課題】
【０００４】
上述の吸収性物品は、グラフィックが吸収性本体と重なる領域の略全体に配置されているため、吸収性本体と重なる領域の全体が目立ちやすくなる。そのため、吸収性本体と重なる領域の幅方向の長さが強調され易い。使用者は、吸収性物品の幅方向の長さが長く、吸収性物品が股下域においてコンパクトにフィットしない印象を得ることがあった。
【０００５】
よって、吸収性物品が股下域においてコンパクトにフィットし易い印象を使用者が持つことができる吸収性物品が望まれる。
【課題を解決するための手段】
【０００６】
一態様に係る吸収性物品は、互いに直交する前後方向及び幅方向と、股下域及び前記股下域よりも前記前後方向の外側に位置する胴回り域と、少なくとも前記股下域において前記前後方向に延びる複数の装飾部と、を有する吸収性物品であって、前記装飾部は、中央装飾部と、前記中央装飾部よりも前記幅方向の外側に位置する一対のサイド装飾部と、を有し、前記中央装飾部は、前記サイド装飾部の幅方向の長さよりも前記幅方向の長さが長い幅広部と、前記サイド装飾部の色濃度よりも色濃度が濃い高濃部と、のうち少なくとも一方を有する。
【０００７】
一態様に係る吸収性物品によれば、中央装飾部が幅広部及び高濃部の少なくとも一方を有することにより、中央装飾部がサイド装飾部よりも目立ちやすくなる。よって、吸収性物品の幅方向の中央が強調されるとともに吸収性物品の幅方向のサイドが強調されし難くなる。使用者は、目の錯覚に起因して、吸収性物品の幅方向の長さを感じ難く、スリムな心証を得る。使用者は、吸収性物品がスリムであって股下域においてコンパクトにフィットし易い印象を持つことができる。
【図面の簡単な説明】
【０００８】
【図１】実施形態に係る吸収性物品の展開状態における肌面側から見た平面図である。
【図２】実施形態に係る吸収性物品の展開状態における非肌面側から見た平面図である。
【図３】図１に示す吸収性物品のＡ−Ａ線に沿った断面図である。
【図４】変形例に係る装飾部を示した図である。
【発明を実施するための形態】
【０００９】
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１０】
吸収性物品は、テープ型であってもよいし、パンツ型であってもよい。吸収性物品は、使い捨ておむつであってもよいし、ショーツ型の生理用ナプキンであってよい。実施形態の吸収性物品は、パンツ型の使い捨ておむつである。図１は、実施形態に係る吸収性物品の展開状態における肌面側から見た平面図である。図２は、吸収性物品の展開状態における非肌面側から見た平面図である。図３は、図２に示すＡ−Ａ線に沿った断面図である。図１及び図２では、後述するサイド接合部６０を展開した状態において吸収性物品１を皺が形成されない状態まで伸長させた伸長状態を示している。また、図３に示す断面図では、説明の便宜上、各部材を厚み方向Ｔにおいて離間して示しているが、実際の製品においては厚み方向Ｔに接している。
【００１１】
吸収性物品１は、互いに直交する前後方向Ｌ及び幅方向Ｗを有する。前後方向Ｌは、身体前側と身体後側とに延びる方向によって規定される。また、吸収性物品１は、前後方向Ｌと幅方向Ｗの両方の直交する厚み方向Ｔを有する。厚み方向Ｔは、着用者に向かう肌面側Ｔ１と、着用者から離れる方に向かう非肌面側Ｔ２と、に延びる。吸収性物品１は、股下域Ｓ３及び股下域Ｓ３よりも前後方向の外側に位置する胴回り域を有する。胴回り域は、着用者の前胴回り（腹部）に対向する前胴回り域と、着用者の後胴回り（背部）に対向する後胴回り域Ｓ２と、を有してよい。股下域Ｓ３は、着用者の股下に対向する。股下域Ｓ３は、後述する脚回り開口部６６が形成された領域である。前胴回り域Ｓ１の股下域側の境界は、脚回り開口部６６の前端縁であり、後胴回り域Ｓ２の股下域側の境界は、脚回り開口部６６の後端縁である。
【００１２】
吸収性物品１は、吸収性本体４０と、外装体１５と、を有する。外装体１５の少なくとも一部は、吸収性本体４０よりも非肌面側において、吸収性本体４０と厚み方向に重なっている。外装体１５は、前胴回り域Ｓ１に配置される前外装体１６と、後胴回り域Ｓ２に配置される後外装体１７と、を有してよい。前外装体１６と後外装体１７は、前後方向Ｌに離間してよい。他の実施形態において、外装体１５は、前外装体１６と後外装体１７が前後方向Ｌに離間せずに、前後方向Ｌに連続していてもよい。外装体１５は、複数のシート材と、シート材の間に配置され、かつ幅方向に伸縮する弾性部材と、を有してよい。
【００１３】
吸収性物品１は、前外装体１６の外側部と後外装体１７の外側部とを接合したサイド接合部６０が設けられていてよい。サイド接合部６０が形成された状態で、吸収性物品１には、着用者の胴が通される胴回り開口部６２と、着用者の脚がそれぞれ挿入される一対の脚回り開口部６６と、が形成される。なお、本発明における外側部とは、幅方向Ｗにおける外縁を含む幅方向Ｗに一定の範囲を占める部分であり、外側縁とは、幅方向Ｗにおける外縁である。
【００１４】
吸収性本体４０は、前外装体１６と後外装体１７に跨って配置されている。吸収性本体４０は、前外装体１６及び後外装体１７とは別体として構成されていてよいし、前外装体１６及び後外装体１７と一体化していてもよい。吸収性本体４０は、吸収コア４５と、吸収コア４５よりも肌面側Ｔ１に位置するトップシート４３と、吸収コア４５よりも非肌面側Ｔ２に位置するバックシートと、を含んでよい。吸収コア４５は、例えば粉砕パルプもしくは高吸収性ポリマー（ＳＡＰ）、又はこれらの混合物を含んでいてよい。吸収コア４５は、コアラップによって覆われていてもよい。トップシート４３は、液透過性のシートであり、例えば、不織布によって構成される。トップシート４３は、吸収コア４５の幅方向の中央を覆うセンターシートと、センターシートの外側部を覆うサイドシートと、を有してよい。バックシートは、第１バックシート４１と、第１バックシート４１よりも非肌面側Ｔ２に配置された第２バックシート４２と、を有してよい。第１バックシート４１は、液透過性のフィルムによって構成されてよい。第２バックシート４２は、不織布によって構成されてよい。
【００１５】
次いで、装飾部５０について説明する。装飾部５０は、少なくとも股下域Ｓ３において前後方向Ｌに延びている。前後方向Ｌに延びる構成は、前後方向Ｌに平行な構成のみならず、前後方向Ｌに対して傾斜する構成、及び、幅方向及び前後方向に延びる部分を有し、全体として前後方向に延びる波形状も含む。前後方向Ｌに対して傾斜する構成においては、前後方向Ｌと装飾部５０とがなす角度は、４５度以下であってよい。装飾部５０は、幅方向Ｗに間隔を空けて複数設けられていてよい。幅方向Ｗに間隔を空けて配置された装飾部５０は、一部が連なっていてもよいし、全体が幅方向に離間していてもよい。
【００１６】
本実施の形態の装飾部５０は、図１に示すように吸収性物品１の肌面側Ｔ１から視認可能に構成された装飾部５０と、図２に示すように吸収性物品１の非肌面側Ｔ２から視認可能に構成された装飾部５０と、を有してよい。吸収性物品１の肌面側Ｔ１から視認可能に構成された装飾部５０は、吸収コア４５の肌面側の面に印刷された印刷部、吸収コアよりも肌面側Ｔ１に位置するコアラップに印刷された印刷部、吸収コア４５とトップシート４３の間に配置されたセカンドシートに印刷された印刷部、及びトップシート４３に印刷された印刷部のうち、少なくともいずれかによって構成されてよい。吸収性物品の非肌面側Ｔ２から視認可能に構成された装飾部５０は、吸収コア４５の非肌面側の面に印刷された印刷部、吸収コア４５よりも非肌面側に位置するコアラップに印刷された印刷部、第１バックシート４１に印刷された印刷部、及び第２バックシート４２に印刷された印刷部のうち、少なくともいずれかによって構成されてよい。なお、装飾部５０は、体液との接触によって呈色反応を示すインジケータによって構成されてもよい。
【００１７】
装飾部５０は、中央装飾部５１と、中央装飾部５１よりも幅方向Ｗの外側に位置する一対のサイド装飾部５２と、を有してよい。中央装飾部５１は、サイド装飾部５２の幅方向Ｗの長さＷ５２よりも幅方向Ｗの長さが長い幅広部５１Ｘと、サイド装飾部５２の色濃度よりも色濃度が濃い高濃部５１Ｙと、のうち少なくとも一方を有する。なお、一つの中央装飾部５１が、幅広部５１Ｘ及び高濃部５１Ｙの両方を有してもよい。中央装飾部５１の前後方向Ｌの長さは、サイド装飾部５２の前後方向Ｌの長さ以上であってよい。
【００１８】
図２に示す中央装飾部５１は、幅広部５１Ｘを有する。幅広部５１Ｘの幅方向の長さは、サイド装飾部５２の幅方向Ｗの長さＷ５２よりも長い。幅広部５１Ｘは、中央装飾部５１の一部に設けられていてもよいし、中央装飾部５１の全体に設けられていてもよい。中央装飾部５１の幅方向Ｗの長さが変形する形態にあっては、中央装飾部５１においてサイド装飾部５２の最大幅よりも幅方向Ｗの長さが長い部分は、幅広部５１Ｘを構成する。なお、装飾部５０の幅方向Ｗの長さは、吸収性物品を伸長させた伸長状態における長さである。
【００１９】
図１に示す中央装飾部５１は、高濃部５１Ｙを有する。高濃部５１Ｙの色濃度は、サイド装飾部５２の色濃度よりも濃い。高濃部５１Ｙは、中央装飾部５１の一部に設けられていてもよいし、中央装飾部５１の全体に設けられていてもよい。中央装飾部５１の色濃度が変形する形態にあっては、サイド装飾部５２の色濃度よりも中央装飾部５１において色濃度が濃い部分は、高濃部５１Ｙを構成する。なお、色濃度は、L*a*b*表色系に基づいて算出される色差が高いものであってよい。色差は、白色基準板（L96.76  a+0.44  b+2.17)に対する色差ΔＥである。白色基準板に対する色差は、白色基準板のlab値と対象サンプルのlab値をそれぞれ測定して算出できる。色差の測定方法の一例を説明する。対象サンプルは、自然状態において測定できる。ここで、自然状態とは、パッケージに収容されている吸収性物品にあっては、パッケージから吸収性物品を取り出し、２０℃±２℃、相対湿度６０％±５％ＲＨの雰囲気下において２４時間放置した状態である。色差を測定する際の基準色として白色基準板（L96.76  a+0.44  b+2.17)を用いることができる。色差測定器は、例えば、Konica Minolta社製 CR-300を用いることができ、測定機器の光源としては、C光源(国際照明委員会(CIE)の規格)を用いることができる。測定機器の測定窓の直径は、８ｍｍである。ここでLは、明るさを指標する値であり、ａ、ｂは、色度の平面座標である。白色基準板のLab値をL0、a0、b0とし、対象サンプルのL1、a1、b1とすると、ΔＬ＝L0-L1、Δa＝a0- a1、Δb＝b0- b1であり、色差ΔＥ＝[(ΔL*)2＋(Δa*)2＋(Δb*)2]1/2によって求められる。
【００２０】
中央装飾部５１が幅広部５１Ｘ及び高濃部５１Ｙの少なくとも一方を有することにより、中央装飾部５１がサイド装飾部５２よりも目立ちやすくなる。よって、吸収性物品１の幅方向Ｗの中央が強調されるとともに吸収性物品１の幅方向Ｗのサイドが強調されし難くなる。使用者は、目の錯覚に起因して、中央装飾部５１を狭いと認識し易くなり、吸収性物品１の股下域Ｓ３の幅方向Ｗの長さを感じ難く、スリムな心証を得る。使用者は、吸収性物品１がスリムであって股下域Ｓ３においてコンパクトにフィットし易い印象を持つことができる。なお、中央装飾部５１が幅広部５１Ｘを有する形態にあっては、中央装飾部５１の色濃度は、サイド装飾部５２の色濃度以下であってもよいし、中央装飾部５１が高濃部５１Ｙを有する形態にあっては、中央装飾部５１の幅方向Ｗの長さは、サイド装飾部５２の幅方向の長さ以下であってもよい。
【００２１】
図２に示すように、中央装飾部５１及びサイド装飾部５２は、前後方向Ｌに延びる直線状であってよい。前後方向Ｌに延びる直線状の装飾部５０によって吸収性物品１の前後方向Ｌの長さを強調できる。使用者は、吸収性物品１がスリムな心証をより得易い。
【００２２】
図１に示すように、サイド装飾部５２は、サイド装飾部５２の前後方向Ｌの中央が幅方向Ｗの内側に突出する湾曲形状であってよい。サイド装飾部５２の前後方向の中央は、サイド装飾部５２の前後方向Ｌの端部よりも幅方向Ｗの内側に位置してよい。サイド装飾部５２が中央装飾部５１に向かって湾曲状に突出するため、使用者の視線が中央装飾部５１に導かれ易い。使用者は、中央装飾部５１を狭いと認識し易くなり、中央装飾部５１の幅広部５１Ｘ等によって吸収性物品がスリムな心証をより得易い。
【００２３】
中央装飾部５１は、吸収性物品１の幅方向Ｗの中心１ＷＣを跨いで配置されてよい。吸収性物品１の幅方向の中心１ＷＣを中央装飾部５１によって強調できる。吸収性物品の幅方向の中心１ＷＣが目立つことにより、相対的に吸収性物品の幅方向の側部が目立ち難くなる。使用者は、中央装飾部５１を狭いと認識し易くなり、吸収性物品がスリムな心証をより得易い。
【００２４】
一対のサイド装飾部５２は、中央装飾部５１に対して幅方向Ｗの一方側（例えば、正面視にて左側）に配置された第１サイド装飾部５２Ｌと、中央装飾部５１に対して幅方向Ｗの他方側（例えば、正面視にて右側）に配置された第２サイド装飾部５２Ｒと、を有してよい。第１サイド装飾部５２Ｌと第２サイド装飾部５２Ｒは、幅方向Ｗに間隔を空け、中央装飾部５１を挟んで配置されてよい。第１サイド装飾部５２Ｌと第２サイド装飾部５２Ｒは、それぞれ幅方向Ｗに間隔を空けて複数設けられてよい。第１サイド装飾部５２Ｌの数は、第２サイド装飾部５２Ｒの数と同じであってよい。なお、ここにおける第１サイド装飾部５２Ｌの数および第２サイド装飾部の数は、幅方向に離れて配置された装飾部の数であって、後述する変形例のように複数の装飾構成部を有する形態における装飾構成部の数ではない。左右に配置されたサイド装飾部５２の数が同じであるため、サイド装飾部５２の間に位置する中央装飾部５１を強調できる。使用者は、中央装飾部５１を狭いと認識し易くなり、吸収性物品がスリムな心証をより得易い。より好適には、第１サイド装飾部５２Ｌと第２サイド装飾部５２Ｒは、吸収性物品１の幅方向の中心１ＷＣを通り、前後方向Ｌに延びる線に対して線対称であってよい。サイド装飾部５２の間に位置する中央装飾部５１をより強調できる。
【００２５】
図２に示すように、幅方向Ｗに間隔を空けて複数設けられたサイド装飾部５２は、内側サイド装飾部５２１と、内側サイド装飾部５２１よりも幅方向の外側に位置する外側サイド装飾部５２２と、を構成してよい。複数のサイド装飾部５２のうち一のサイド装飾部が内側サイド装飾部５２１を構成し、複数のサイド装飾部５２のうち他のサイド装飾部が外側サイド装飾部５２２を構成してよい。内側サイド装飾部５２１と外側サイド装飾部５２２は、第１サイド装飾部５２Ｌと第２サイド装飾部５２Ｒの少なくとも一方に設けられていてもよいし、両方に設けられていてもよい。外側サイド装飾部５２２の幅方向の長さＷ５２２は、内側サイド装飾部５２１の幅方向Ｗの長さＷ５２１よりも短くてよい。中央装飾部５１から幅方向Ｗの外側に向かって段階的に装飾部５０の幅が短くなる。よって、吸収性物品１の幅方向の中央が強調されるとともに吸収性物品１の幅方向のサイドがより強調されし難くなる。使用者は、中央装飾部５１を狭いと認識し易くなり、吸収性物品の幅方向の長さをより感じ難く、スリムな心証を得る。
【００２６】
内側サイド装飾部５２１と外側サイド装飾部５２２の間に、内側サイド装飾部５２１又は外側サイド装飾部５２２と同幅のサイド装飾部５２が配置されていてもよい。しかし、より好適には、隣り合うサイド装飾部５２において、幅方向Ｗの外側に位置するサイド装飾部５２の幅方向Ｗの長さが、内側に位置するサイド装飾部５２の幅方向Ｗの長さよりも短くてよい。中央装飾部５１から幅方向Ｗの外側に向かって徐々にサイド装飾部５２の幅が短くなる。よって、吸収性物品１の幅方向の中央がより強調されるとともに吸収性物品の幅方向のサイドがより強調され難くなる。
【００２７】
装飾部５０は、股下域Ｓ３及び胴回り域に配置されてよい。装飾部５０は、前胴回り域Ｓ１と後胴回り域Ｓ２のうち少なくとも一方に跨がっていてよい。装飾部５０は、胴回り域にも配置され、その前後方向Ｌの長さが長くなる。装飾部５０によって吸収性物品１の前後方向Ｌの長さを強調することによって、吸収性物品１の幅方向Ｗの長さを使用者に認識され難くできる。よって、使用者は、中央装飾部５１を狭いと認識し易くなり、吸収性物品１の幅方向Ｗの長さをより感じ難く、スリムな心証を得る。また、非肌面側Ｔ２から視認可能な装飾部５０にあっては、胴回り域に配置された装飾部５０は、外装体１５によって覆われ、股下域に配置された装飾部５０よりも視認性が低下する。よって、股下域Ｓ３に配置された装飾部５０は、胴回り域に配置された装飾部５０よりも強調される。そのため、股下域Ｓ３の前後方向Ｌの長さが股下域Ｓ３の幅方向Ｗの長さよりも強調され易い。使用者は、股下域Ｓ３においてコンパクトにフィットし易い印象を持つことができる。
【００２８】
吸収性物品１は、装飾部５０と共に視認可能なキャラクター図柄５５を有してよい。キャラクター図柄５５は、装飾部５０と共に肌面側Ｔ１から視認可能であってもよいし、装飾部５０と共に非肌面側Ｔ２から視認可能であってもよい。キャラクター図柄は、擬人化されたイメージ、特に人間の動機、特性、又は、挙動を生命のない物体、動物、自然現象、又は、漫画のキャラクターなどに帰着する、人間の形又は姿を有するか暗示するイメージを包含する図柄である。キャラクター図柄５５の少なくとも一部は、中央装飾部５１から前後方向Ｌに延びる中央延長線ＦＬ５１上に配置されてよい。なお、図２においては、中央延長線ＦＬ５１の外側縁を示しており、２本の中央延長線ＦＬ５１間も中央延長線ＦＬ５１を構成する。キャラクター図柄５５は、目立ちやすく、使用者の注意を引きやすい。キャラクター図柄５５が中央延長線ＦＬ５１上に配置されているため、キャラクター図柄５５によって中央装飾部５１を強調できる。また、中央装飾部５１が吸収性物品１の幅方向Ｗの中心１ＷＣを跨いで配置されている形態にあっては、中央装飾部５１及びキャラクター図柄５５の両方によって吸収性物品１の幅方向Ｗの中心を強調できる。使用者は、吸収性物品がスリムな心証をより得易い。なお、キャラクター図柄５５は、中央装飾部５１に重なっていてもよいし、サイド装飾部５２に重なっていてもよい。
【００２９】
また、一対のサイド装飾部５２が、それぞれ幅方向に間隔を空けて複数設けられている形態にあっては、キャラクター図柄５５は、サイド装飾部５２のそれぞれから前後方向Ｌに延びる複数のサイド延長線ＦＬ５２上のうち少なくとも一のサイド延長線ＦＬ５２と重ならない領域に配置されてよい。なお、図２においては、サイド延長線ＦＬ５２の外側縁を示しており、２本のサイド延長線ＦＬ５２間もサイド延長線ＦＬ５２を構成する。サイド延長線ＦＬ５２と重ならない領域にキャラクター図柄５５に配置されていることにより、少なくとも一部のサイド装飾部５２を目立たなくさせ、相対的に中央装飾部５１を目立たせることができる。より好適には、キャラクター図柄５５は、複数のサイド延長線ＦＬ５２の全てと重ならない領域に配置されてよい。全てのサイド装飾部５２を目立たなくし、相対的に中央装飾部５１を目立たせることができる。
【００３０】
次いで、図４に基づいて、変形例に係る装飾部５０を説明する。なお、以下の説明において、上述の実施形態と同様の構成にあっては、同符号を用いて説明を省略する。変形例に係る装飾部５０は、前後方向Ｌに間隔を空けて配置された装飾構成部５６の集合体によって構成されている。装飾構成部５６は、点、線、図柄及び文字のうち少なくともいずれかによって構成されてよい。装飾構成部５６の前後方向Ｌの間隔は、装飾構成部５６の前後方向Ｌの長さよりも短くてよい。具体的には、中央装飾部５１の装飾構成部５６１の前後方向Ｌの間隔Ｇ５６１が中央装飾部５１の装飾構成部５６１の前後方向の長さＬ５６１よりも短く、サイド装飾部５２の装飾構成部５６２の前後方向Ｌの間隔Ｇ５６２がサイド装飾部５２の装飾構成部５６２の前後方向の長さＬ５６２よりも短い。当該構成によれば、装飾構成部５６が一体化して認識され易い。装飾部５０によって吸収性物品１の前後方向Ｌの長さを強調することができる。よって、使用者は、中央装飾部５１を狭いと認識し易くなり、吸収性物品１の幅方向Ｗの長さをより感じ難く、スリムな心証を得る。
【００３１】
変形例において、中央装飾部５１をサイド装飾部５２よりも目立ちやすくするように、中央装飾部５１における装飾構成部５６１とサイド装飾部５２の装飾構成部５６２を異ならせてもよい。具体的には、中央装飾部５１の装飾構成部５６１の前後方向の長さＬ５６１は、サイド装飾部５２の装飾構成部５６２の寸法よりも長くてよい。中央装飾部５１における装飾構成部５６１の前後方向Ｌの間隔は、サイド装飾部５２における装飾構成部５６２の前後方向Ｌの間隔よりも短くてよい。または、中央装飾部５１における装飾構成部５６１の前後方向ＬのピッチＰ５６１は、サイド装飾部５２における装飾構成部５６２の前後方向ＬのピッチＰ５６２よりも短くてよい。当該構成によれば、中央装飾部５１がサイド装飾部５２よりも目立ち易くなる。
【００３２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００３３】
１    吸収性物品
１ＷＣ    おむつの幅方向の中心
１５      ：外装体
４０      ：吸収性本体
５０      ：装飾部
５１      ：中央装飾部
５１Ｘ    ：幅広部
５１Ｙ    ：高濃部
５２      ：サイド装飾部
５２Ｌ    ：第１サイド装飾部
５２Ｒ    ：第２サイド装飾部
５５      ：キャラクター図柄
５６      ：装飾構成部
５２１    ：内側サイド装飾部
５２２    ：外側サイド装飾部
ＦＬ５１  ：中央延長線
Ｌ        ：前後方向
Ｗ        ：幅方向
Ｓ１      ：前胴回り域
Ｓ２      ：後胴回り域
Ｓ３      ：股下域
【図１】
2020137971.tif 000003
【図２】
2020137971.tif 000004
【図３】
2020137971.tif 000005
【図４】
2020137971.tif 000006